(57)【要約】【課題】  電線とその電線と所定の角度をなす他の電線とを接続する際に、電柱を高くすることなく電線と他の電線とを接続することができる電線取付アームを提供する。【解決手段】  碍子３１０ａを介して電線３００ａを支持すると共に電柱２００に片持ち梁状に基端部が固定される第１のアーム（例えば腕金１１０ｂ）と、同様に碍子４１０ａを介して他の電線４００ａを支持すると共に第１のアームと同一水平面内で前記所定の角度をなすように前記電柱に片持ち梁状に基端部が固定される第２のアーム（例えば腕金１１０ｂ）と、第１のアームの先端部と第２のアームの先端部とに両端部がそれぞれ接続されて所定の角度を保持する補強部材（例えば補強金物１２０）とを具備する。【選択図】      図１
2006311774.tif 000002
【特許請求の範囲】
【請求項１】
電線と当該電線と所定の角度をなす他の電線とを接続する際に用いられる電柱の電線取付アームであって、
碍子を介して前記電線を支持すると共に前記電柱に片持ち梁状に基端部が固定される第１のアームと、
同様に碍子を介して前記他の電線を支持すると共に前記第１のアームと同一水平面内で前記所定の角度をなすように前記電柱に片持ち梁状に基端部が固定される第２のアームと、
前記第１のアームの先端部と前記第２のアームの先端部とに両端部がそれぞれ接続されて前記所定の角度を保持する補強部材とを具備することを特徴とする電線取付アーム。
【請求項２】
請求項１において、前記補強部材に前記電線と前記他の電線とを接続する曲線部の経路の位置決めをする位置決め具を具備することを特徴とする電線取付アーム。
【請求項３】
請求項１又は２において、一端が第１のアーム又は第２のアームに固定されると共に他端が前記一端よりも下方の位置で電柱に固定されるタイロッドを具備することを特徴とする電線取付アーム。
【発明の詳細な説明】
【技術分野】
【０００１】
本発明は、電線とその電線と所定の角度をなす他の電線とを接続する際に用いられる電柱の電線取付アームに関する。
【背景技術】
【０００２】
電線は、通常、配線の容易さなどから道路沿いに設けられた電柱に支持されていることが多い。しかしながら、わが国の道路は地理的条件から単調な直線状をしているものは少なく、その多くが曲がりくねったものとなっている。したがって、道路沿いに配線される電線も道路に沿ってその方向を湾曲させる必要がある。具体的には、電線と他の電線とが所定の角度をなすように接続することによって、道路に沿って電線が湾曲するようにしている。
【０００３】
そして、電線とその電線と所定の角度をなす他の電線とを接続するために、図８に示すように、電線５１０ａ、５１０ｂ、５１０ｃが固定される第１のアーム５０１ａと、他の電線５２０ａ、５２０ｂ、５２０ｃが固定される第２のアーム５０１ｂとを具備し、電柱６００に固定される電線取付アーム５００が用いられていた。第１のアーム５０１ａ及び第２のアーム５０１ｂは、その中央部で電柱６００に固定されるので、電線５１０ａ、５１０ｂ、５１０ｃ及び電線５２０ａ、５２０ｂ、５２０ｃからのそれぞれ張力を利用して、各アームのどちらか一端に大きい張力がかかることなく、バランスよく電柱６００に取り付けることができた。
【０００４】
しかしながら、従来の電線取付アーム５００は、碍子５１１ａ、５１１ｂ、５１１ｃを介して電線５１０ａ、５１０ｂ、５１０ｃを支持する第１のアーム５０１ａと、同様に碍子５２１ａ、５２１ｂ、５２１ｃを介して電線５１０ａ、５１０ｂ、５１０ｃを支持する第２のアーム５０１ｂとの間には、例えば電線５１０ａと電線５２０ｂとの間での短絡などが生じないように所定の離隔距離ｄをとる必要があり、この離隔距離ｄを確保するために高い電柱を使用しなければならないという問題があった。
【０００５】
一方、電線を所定角度へ湾曲させるように案内することができる電気接続装置が提案されているが（例えば特許文献１参照）、コネクタに関するものであり、電線などの高電圧に耐えられるようなものではなかった。
【０００６】
【特許文献１】特開２００４−３９５８５号公報
【発明の開示】
【発明が解決しようとする課題】
【０００７】
本発明は、このような事情に鑑み、電線とその電線と所定の角度をなす他の電線とを接続する際に、電柱を高くすることなく電線と他の電線とを接続することができる電線取付アームを提供することを課題とする。
【課題を解決するための手段】
【０００８】
上記課題を解決するための本発明の第１の態様は、電線と当該電線と所定の角度をなす他の電線とを接続する際に用いられる電柱の電線取付アームであって、碍子を介して前記電線を支持すると共に前記電柱に片持ち梁状に基端部が固定される第１のアームと、同様に碍子を介して前記他の電線を支持すると共に前記第１のアームと同一水平面内で前記所定の角度をなすように前記電柱に片持ち梁状に基端部が固定される第２のアームと、前記第１のアームの先端部と前記第２のアームの先端部とに両端部がそれぞれ接続されて前記所定の角度を保持する補強部材とを具備することを特徴とする電線取付アームにある。
【０００９】
かかる第１の態様では、電柱を高くすることなく電線とその電線と所定の角度をなす他の電線とを接続することができる。
【００１０】
本発明の第２の態様は、第１の態様において、前記補強部材に前記電線と前記他の電線とを接続する曲線部の経路の位置決めをする位置決め具を具備することを特徴とする電線取付アームにある。
【００１１】
かかる第２の態様では、曲線部同士の混触による事故を防止することができる。
【００１２】
本発明の第３の態様は、第１又は２の態様において、一端が第１のアーム又は第２のアームに固定されると共に他端が前記一端よりも下方の位置で電柱に固定されるタイロッドを具備することを特徴とする電線取付アームにある。
【００１３】
かかる第３の態様では、第１のアーム又は第２のアームがそれらに接続されるものの荷重により下方に傾くのを防止することができる。
【発明の効果】
【００１４】
本発明によれば、電柱を高くすることなく電線とその電線と所定の角度をなす他の電線とを接続することができるので、電線と高所に存在する建築物などとの離隔を十分に確保することができると共に電線が建築物などの上空を通過する上空通過を回避することができ、さらに電柱丈尺を最小化することができるので電柱の材料費を削減することができる。
【発明を実施するための最良の形態】
【００１５】
以下、図面を用いて本発明を実施するための最良の形態について説明する。なお、本実施形態の説明は例示であり、本発明の構成は以下の説明に限定されない。
【００１６】
（実施形態１）
図１は本発明の実施形態１に係る電線取付アームの概略図である。図１に示すように、本実施形態の電線取付アーム１００は、電線３００ａ、３００ｂ、３００ｃと、電線３００ａ、３００ｂ、３００ｃと所定の角度をなす他の電線４００ａ、４００ｂ、４００ｃとを接続する際に用いられるものであって、碍子３１０ａ、３１０ｂ、３１０ｃを介して電線３００ａ、３００ｂ、３００ｃを支持すると共に電柱２００に片持ち梁状に基端部が固定される第１のアームである腕金１１０ａと、同様に碍子４１０ａ、４１０ｂ、４１０ｃを介して他の電線４００ａ、４００ｂ、４００ｃを支持すると共に腕金１１０ａと同一水平面内で所定の角度をなすように電柱２００に片持ち梁状に基端部が固定される第２のアームである腕金１１０ｂと、腕金１１０ａの先端部と腕金１１０ｂの先端部とに両端部がそれぞれ接続されて所定の角度を保持する補強部材である補強金物１２０とを具備し、さらに一端が腕金１１０ａ又は１１０ｂに固定されると共に他端が一端よりも下方の位置で電柱２００に固定されるタイロッド１５０ａ、１５０ｂを具備し、そして補強金物１２０に、電線３００ａ、３００ｂ、３００ｃと他の電線４００ａ、４００ｂ、４００ｃとをそれぞれ接続する曲線部１３０ａ、１３０ｂ、１３０ｃのうちの２つの曲線部１３０ｂ、１３０ｃの経路の位置決めをする位置決め具１４０を具備している。
【００１７】
腕金１１０ａ、１１０ｂは、腕金１１０ａ、１１０ｂに接続される電線３００ａ、３００ｂ、３００ｃなどを支持することができるものであればその材質、形状及び大きさは特に限定されないが、軽量で剛性が高い方が好ましいのはいうまでもない。なお、腕金１１０ａ、１１０ｂは、図２に示す腕金取付バンド２１０を使用することにより、電柱２００に固定することができる。なお、腕金取付バンド２１０の腕金取付可動部２１１は、腕金取付弧状部２１２に沿って円弧状に移動することができるので、腕金１１０ａと１１０ｂとがなす角度を自由に設定することができる。
【００１８】
補強金物１２０は、詳細は後述するが、腕金１１０ａと腕金１１０ｂとがなす所定の角度を保持することができるものであれば材質、形状及び大きさは特に限定されないが、軽量で剛性が高い方が好ましいのはいうまでもない。
【００１９】
曲線部１３０ａ、１３０ｂ、１３０ｃは、電線３００ａ、３００ｂ、３００ｃと電線４００ａ、４００ｂ、４００ｃとをそれぞれ接続して通電させることができるものであれば材質、形状及び大きさは特に限定されないが、電気抵抗が低いものが好ましいのはいうまでもない。曲線部１３０ａ、１３０ｂ、１３０ｃとしては、例えば電線４００ａ、４００ｂ、４００ｃに直接接続するように電線３００ａ、３００ｂ、３００ｃを延長したものであってもよいし、電線３００ａ、３００ｂ、３００ｃと電線４００ａ、４００ｂ、４００ｃとを接続する新たな電線などであってもよい。
【００２０】
位置決め具１４０は、詳細は後述するが、曲線部１３０ｂ、１３０ｃの経路の位置決めに供することができるものであり、詳細は図６に基づき後述する。位置決め具１４０を具備することにより、曲線部１３０ｂ、１３０ｃ同士の混触による事故を防止することができる。なお、本実施形態では、曲線部１３０ａの経路は、腕金１１０ｂ上に設けられた碍子４２０により位置決めされるので、曲線部１３０ａと、曲線部１３０ｂ又は曲線部１３０ｃとの混触による事故を防止することができる。
【００２１】
タイロッド１５０ａ、１５０ｂは、タイロッド１５０ａ、１５０ｂに接続される腕金１１０ａ、１１０ｂなどの荷重に耐えることができるものであるならば材質、形状及び大きさは特に限定されない。タイロッド１５０ａ、１５０ｂを具備することにより、腕金１１０ａ、１１０ｂに接続されるものの荷重により、腕金１１０ａ、１１０ｂが下方に傾くのを防止することができる。なお、タイロッド１５０ａ、１５０ｂは、図３に示すタイロッド取付バンド２２０を使用することにより、電柱２００に固定することができる。なお、上述した腕金取付バンド２１０と同様に、タイロッド取付バンド２２０のタイロッド取付可動部２２１は、タイロッド取付弧状部２２２に沿って円弧状に移動することができるので、腕金１１０ａと１１０ｂとがなす角度に応じてタイロッド１５０ａとタイロッド１５０ｂとがなす角度を自由に設定することができる。
【００２２】
次に、補強金物１２０について具体的に説明する。図４は、補強金物１２０の上面概略図であり、図５は補強金物１２０の側面概略図である。図４及び図５に示すように、本実施形態に係る補強金物１２０は、腕金１１０ａの先端部と腕金１１０ｂの先端部とにその両端部がそれぞれ接続されており、補強金物１２０のほぼ中央に位置決め具１４０が固定されている。そして、補強金物１２０は、複数のボルト穴が設けられた４つの補強金物用板状部材１２１ａ、１２１ｂ、１２１ｃ、１２１ｄを具備し、補強金物用板状部材１２１ａの一端と補強金物用板状部材１２１ｂの一端とがボルトにより固定されると共に、補強金物用板状部材１２１ａの他端はボルトにより腕金１１０ａに固定され、補強金物用板状部材１２１ｂの他端はボルトにより腕金１１０ｂに固定されている。同様にして、補強金物用板状部材１２１ｃの一端と補強金物用板状部材１２１ｄの一端とがボルトにより固定されると共に、補強金物用板状部材１２１ｃの他端はボルトにより腕金１１０ａに固定され、補強金物用板状部材１２１ｄの他端はボルトにより腕金１１０ｂに固定される。ここで、補強金物用板状部材１２１ａと補強金物用板状部材１２１ｃとの距離及び補強金物用板状部材１２１ｂと補強金物用板状部材１２１ｄとの距離は、腕金１１０ａ、１１０ｂ、及びスペーサ１２２により、堅固に保持される。この構造により、補強金物用板状部材１２１ａの一端と補強金物用板状部材１２１ｂの一端とを固定するためのボルト穴の組み合わせ、及び補強金物用板状部材１２１ｃの一端と補強金物用板状部材１２１ｄの一端とを固定するためのボルト穴の組み合わせを変えることによって補強金物１２０を長手方向に伸縮させることができる。すなわち、この構造をとることによって、腕金１１０ａと腕金１１０ｂとがなす所定の角度が変化することにより、補強金物１２０を長手方向に伸縮させなければならなくなった場合でも柔軟に対応することができる。なお、本実施形態では、上述した構造により補強金物１２０を長手方向に伸縮させるようにしたが、補強金物１２０を長手方向に伸縮させることができるのであれば、その構造は特に限定されず、例えば補強金物１２０を長手方向に伸縮させることができるようなスライド構造を具備するものであってもよい。
【００２３】
次に、位置決め具１４０について具体的に説明する。図６は位置決め具１４０の上面概略図であり、図７は位置決め具１４０の側面概略図である。図６及び図７に示すように、本実施形態に係る位置決め具１４０は、その長手方向が補強金物１２０の長手方向とほぼ垂直になるように補強金物１２０に固定され、その両端部に曲線部１３０ｂ、１３０ｃの経路の位置決めをする位置決め具用碍子１４５ａ、１４５ｂを具備している。そして、スペーサ１２２を間に挟んで、複数のボルト穴が設けられた位置決め具用板状部材１４１ａと補強金物１２０を構成する補強金物用板状部材１２１ａ、１２１ｃとがボルトにより固定されると共に、複数のボルト穴が設けられた位置決め具用板状部材１４１ｂと補強金物１２０を構成する補強金物用板状部材１２１ｂ、１２１ｄとがボルトにより堅固に固定される。なお、本実施形態では、位置決め具用碍子１４５ａ、１４５ｂを固定する際に使用されるボルト穴を変えることによって、位置決め具用碍子１４５ａ、１４５ｂが固定される位置を移動させることができる。すなわち、この構造をとることにより、曲線部１３０ｂ、１３０ｃの線間電圧等の状況に応じて、曲線部１３０ｂ、１３０ｃの経路を柔軟に配置することができる。
【００２４】
以上説明した電線取付アーム１００を用いると、腕金１１０ａと腕金１１０ｂとを平行に取り付けることができるので、電柱を高くすることなく電線とその電線と所定の角度をなす他の電線とを接続することができる。
【図面の簡単な説明】
【００２５】
【図１】本発明の実施形態１に係る電線取付アームの概略図である。
【図２】本発明の実施形態１に係る腕金取付バンドの上面概略図である。
【図３】本発明の実施形態１に係るタイロッド取付バンドの上面概略図である。
【図４】本発明の実施形態１に係る補強金物の上面概略図である。
【図５】本発明の実施形態１に係る補強金物の側面概略図である。
【図６】本発明の実施形態１に係る位置決め具の上面概略図である。
【図７】本発明の実施形態１に係る位置決め具の側面概略図である。
【図８】従来の電線取付アームの概略図である。
【符号の説明】
【００２６】
１００  電線取付アーム
１１０ａ、１１０ｂ  腕金
１２０  補強金物
１２１ａ、１２１ｂ、１２１ｃ、１２１ｄ  補強金物用板状部材
１２２  補強金物用スペーサ
１３０ａ、１３０ｂ、１３０ｃ  曲線部
１４０  位置決め具
１４１ａ、１４１ｂ  位置決め具用板状部材
１４２  位置決め具用スペーサ
１４５ａ、１４５ｂ  位置決め具用碍子
１５０ａ、１５０ｂ  タイロッド
２００  電柱
２１０  腕金取付バンド
２１１  腕金取付可動部
２１２  腕金取付弧状部
２２０  タイロッド取付バンド
２２１  タイロッド取付可動部
２２２  タイロッド取付弧状部
３００ａ、３００ｂ、３００ｃ、４００ａ、４００ｂ、４００ｃ  電線
３１０ａ、３１０ｂ、３１０ｃ、４１０ａ、４１０ｂ、４１０ｃ、４２０  碍子
【図１】
2006311774.tif 000003
【図２】
2006311774.tif 000004
【図３】
2006311774.tif 000005
【図４】
2006311774.tif 000006
【図５】
2006311774.tif 000007
【図６】
2006311774.tif 000008
【図７】
2006311774.tif 000009
【図８】
2006311774.tif 000010